(57)【要約】【課題】池など滞留した水を浄化、活性化する装置を設置しようとすれば、設置場所の問題があり、一度設置すれば移動することも困難である。又、送水ポンプ、ブロワーなどの複数の動力も必要で、それらに付属する設備も複雑となり、設備、運転コスト共高くなる問題があった。【解決手段】浄化装置の設置場所を直接滞留した水の水面と水中を利用し、浮輪５によって本体１を浮かせ、酸化室６、沈殿室１１など浄化装置の各部分は水面下となるよう設置する。浄化装置の各部分は水中にあるので、装置内の水の流動はあまり揚程を必要としないため、送水ポンプを省略し、ブロワー１７より送気した空気を送水管１５内の吐出管１６により噴射し、噴射によって起こる気圧差を利用して水を流動し、且つ、その空気中の酸素により浄化、活性化して滞留した水を循環する。【選択図】        図１
2005007374.tif 000002
【特許請求の範囲】
【請求項１】
水面に浮輪５によって浮かせた状態で、酸化室６、沈殿室１１など浄化装置の各部分を水中に沈ませて設置し、流入パイプ１３の途中に吐出管１６を内蔵した送水管１５を接続している浄化装置。
【発明の詳細な説明】
【０００１】
【発明の属する技術分解】
本発明は、池など滞留している水の水面へ浮輪によって浮かした状態で、浄化装置の各部分を水中に沈め、流入管を通じてブロワーより装置内へ空気を送り込み、気圧差によって滞留した水を吸引流通させ、送り込んだ空気中の酸素を水に溶解させて活性化させ、且つ、接触剤に生成した苔によって浄化を行い、水面上で空気は大気中へ放出し、水は不純物を沈殿させ、又、フィルターによって除去した後、放流循環するものである。
【０００２】
【従来の技術】
従来、滞留した水を浄化、活性化するためには、滞留した水をポンプによって地上などに設置した浄化装置内へ送水し、ブロワーによって空気を供給し、酸素を融解させて活性化した後、沈殿あるいはフィルターなどにより不純物を除去して放流循環していた。
【０００３】
【発明が解決しようとする課題】
滞留した水を浄化、活性化する装置を設置しようとすれば、設置場所の問題があり、一度設置すれば移動も困難で、又、送水ポンプ、ブロワーなど複数の動力も必要であり、それらに接続する配線、配管なども複雑となって、設備、運転コスト共高くなる等の問題があった。
【０００４】
【課題を解決するための手段】
浄化装置の本体１、及び、それに接続されている流入パイプ１３、送水管１５、及び、空気パイプ１８を一体として水中に入れる。浮輪５によって本体１を水面に浮かした状態で、酸化室６、沈殿室１１など浄化装置の各部分は水面下とする。移流口７の位置は、その穴の半分程度が水面下となるようにし、流出口３は、浮輪５より下側で水面より下方とする。流入パイプ１３、空気パイプ１８は自重で沈下させ設置する。地上に設置したブロワー１７によって送られた空気を吐出管１６によって噴出させると、送水管１５内で気圧差を生じ、ストレーナー１４を通じて滞留した水が流入管１３内へ吸引される。吐出管１６と、送水管１５の組み合わせによって噴射ノズルの役目をするのである。吸引された水が、送水管１５内を通過すると、水は噴射された空気と混合して流れ、空気中の酸素を溶融して活性化されながら酸化室６内へ流動し、酸化剤１０に生成した苔に接しながら隙間を上方へ向かって流れる事によって浄化され、酸化室６の水面上で空気は空気抜き蓋８により放出される。空気抜き蓋８は、防音の役目も行う。空気と一緒に流動してきた水は、移流口７より沈殿室１１へ移流し、不純物を沈殿させ、上澄水はフィルター１２で浮遊物を除去し、流出口３より放流され循環する。水の循環流通は、すべて水面下で行われるので、あまり揚程を必要としないので、空気の噴射によって起こる気圧差を利用して水を流通すれば、送水ポンプは省略できる。又、地上に設置するのは、ブロワー１７だけで、他の装置は水面と水中を利用して設置するため特別に設置場所を設ける必要はなく、滞留した水の水面と水中の範囲内であれば移動も容易で、流入パイプ１３の長さの調整により循環範囲を自由に選択できる。浄化装置の本体１の設置位置は、岸などからロープ等で固定すればよく、ストレーナー１４には、沈めた位置が確認できるよう浮きをロープ等で繋いでおくと点検、掃除が必要なときに役立つ。
【０００５】
【発明の実施の形態】
図によって説明すると、浄化装置の本体１は、強化プラスチック等、水に腐食しない材料で作られ、下部中央には、下方に向いて管状に延び開口しているニップル状をした流入口２を持ち、その流入口２を中心として、円錐から円筒型となって上方へ向かって立ち上がり、上端が外周に開いたフランジとなって開放した形状である。流出口３の下側で、本体１の内面には、溝型をしたフィルター受け４が取り付けられている。外周に開いたフランジの下側で、本体１の外周には、発泡スチロール等で作られた浮輪５が取り付け固定されている。酸化室６は、本体１の底部分で、上方に開いている円錐の中程から本体１と一体で、流入口２と同一芯で円筒型をして立ち上がり、上端を本体１の上端とほぼ同じ位置で開口している円筒の内側部分である。酸化室６の上端開口部には、多数の穴が開いた空気抜き蓋８が取り外し可能で被せてある。酸化室６のそこの部分には、目の粗い金網状の穴が多数ある棚板９が置かれ、その上に酸化剤１０が移流口７の下側まで充填されている。酸化剤１０は、プラスチック等で作られた野球ボール程の大きさで、表面積が広く、充填した場合、酸化剤１０どうしが重なっても密着しない適当な隙間ができる形状である。棚板９の穴は、酸化剤１０が抜け落ちない程度の径であり、又、酸化剤１０を充填しても支えられる強度を持ち、水に腐食しない材料で作る。沈殿室１１は、酸化室６と、本体１で囲まれた部分である。流出口３のフィルター受け４には、フィルター１２を差し込み取り付ける。流入パイプ１３は、合成ゴム等、可逆性のある材料で作られたもので、その一端を流入口２に接続し、他端にはストレーナー１４が取り付けられている。流入パイプ１３には、途中送水管１５が接続され、その送水管１５の管外より管内に向かって挿入され、管内で本体１の方向へ曲がって開口している吐出管１６が一体となって送水管１５に取り付けられている。吐出管１６の管外の一端には、ブロワー１７と接続されている空気パイプ１８の他端が接続されている。送水管１５、吐出管１６は、強化プラスチックあるいは塩ビ管などで作り、空気パイプ１８は、柔軟性があるホースを用いる。
【０００６】
【発明の効果】
池など滞留した水の水面に浮かした状態で、水中に直接装置を設置するのでブロワー１７以外は地上に設置場所が必要なく、装置は水面に浮いているため移動も容易であり、流入パイプ１３の長さの調整により吸入位置と放流位置が変更でき、滞留した水治の循環範囲を自由に選択することができる。なお、浄化装置の各部分がすべて水面下であるため、装置内の水の流通は水中で行えるので流通に必要な揚程が小さくなり、空気の噴射によって起こる気圧差を利用した流動が可能なため、送水ポンプを省略でき、又、噴射された空気中の酸素を利用して浄化、活性化を行うことができる。
【図面の簡単な説明】
【図１】本説明の断面図である。
【符号の説明】
１    本体                            １１  沈殿室
２    流入口                          １２  フィルター
３    流出口                          １３  流入パイプ
４    フィルター受け                  １４  ストレーナー
５    浮輪                            １５  送水管
６    酸化室                          １６  吐出管
７    移流口                          １７  ブロワー
８    空気抜き蓋                      １８  空気パイプ
９    棚板
１０  酸化剤
【図１】
2005007374.tif 000003